(57)【特許請求の範囲】
【請求項１】
口を覆う第１フィルタと、
前記第１フィルタの上方に設けられ、鼻を覆う第２フィルタと、
前記第１フィルタと前記第２フィルタを分離可能に接続する接続部と、
を備え、
前記接続部は、前記第１フィルタ及び前記第２フィルタの幅方向両側端部から前方へ向かうにつれて斜め下方に設けられており、前記第１フィルタ及び前記第２フィルタの中央で交差しているマスク。
【請求項２】
口を覆う第１フィルタと、
前記第１フィルタの上方に設けられ、鼻を覆う第２フィルタと、
前記第１フィルタと前記第２フィルタを分離可能に接続する接続部と、
を備え、
前記接続部は、前記第１フィルタ及び前記第２フィルタの幅方向両側端部から前方へ向かうにつれて斜め下方に設けられており、前記第１フィルタ及び前記第２フィルタの中間部では水平、又は、前方へ向かうにつれて斜め上方に設けられているマスク。
【請求項３】
前記接続部は、前記第１フィルタと前記第２フィルタが重ね合わされ線状に施された接着若しくは圧着によって、前記第１フィルタと前記第２フィルタの間に形成されたミシン目によって、又は、前記第１フィルタと前記第２フィルタが重ね合わされ面ファスナー若しくはスナップボタンによって前記第１フィルタと前記第２フィルタとを接続している請求項１又は２に記載のマスク。
【請求項４】
前記第１フィルタは、正面材と背面材の間に形成されて上方に開口した収容部を有し、
前記第２フィルタの下部が前記収容部に収容される請求項１又は２に記載のマスク。
【請求項５】
口を覆う第１フィルタと、
前記第１フィルタの上方に設けられ、鼻を覆う第２フィルタと、
前記第１フィルタと前記第２フィルタを分離可能に接続する接続部と、
を備え、
前記第１フィルタは、正面材と背面材の間に形成されて上方に開口した収容部を有し、
前記第２フィルタの下部が前記収容部に収容されるマスク。
【請求項６】
前記第１フィルタの幅方向両側に設けられ、装着者の耳に掛けられる耳掛け部、又は、装着者の耳に掛けられる耳掛け部が設置可能な耳掛け部支持部を備える請求項１から５のいずれか１項に記載のマスク。
【請求項７】
前記耳掛け部は、前記第１フィルタの幅方向両側においてのみ設けられ、
前記接続部の両端部は、前記第１フィルタ及び前記第２フィルタに位置する請求項６に記載のマスク。
【請求項８】
前記耳掛け部は、前記第１フィルタ及び前記第２フィルタの幅方向両側において設けられ、
前記接続部の両端部は、前記耳掛け部に位置する請求項６に記載のマスク。
【請求項９】
口を覆う第１フィルタと、
前記第１フィルタの上方に設けられ、鼻を覆う第２フィルタと、
前記第１フィルタと前記第２フィルタを分離可能に接続する接続部と、
前記第１フィルタ及び前記第２フィルタの幅方向両側に設けられ、装着者の耳に掛けられる耳掛け部と、
を備え、
前記接続部の両端部は、前記耳掛け部に位置するマスク。
【請求項１０】
鼻を覆う第２フィルタと上方にて接続可能であり、口を覆う第１フィルタと、
前記第１フィルタの上部に設けられ、前記第２フィルタを前記第１フィルタに接続可能な接続部と、
を備え、
前記接続部は、前記第１フィルタの幅方向両側端部から前方へ向かうにつれて斜め下方に設けられており、前記第１フィルタの中央で交差しているマスク。
【請求項１１】
鼻を覆う第２フィルタと上方にて接続可能であり、口を覆う第１フィルタと、
前記第１フィルタの上部に設けられ、前記第２フィルタを前記第１フィルタに接続可能な接続部と、
を備え、
前記接続部は、前記第１フィルタ及び前記第２フィルタの幅方向両側端部から前方へ向かうにつれて斜め下方に設けられており、前記第１フィルタ及び前記第２フィルタの中間部では水平、又は、前方へ向かうにつれて斜め上方に設けられているマスク。
【請求項１２】
鼻を覆う第２フィルタと上方にて接続可能であり、口を覆う第１フィルタと、
前記第１フィルタの上部に設けられ、前記第２フィルタを前記第１フィルタに接続可能な接続部と、
を備え、
前記第２フィルタの下部が収容されるように、前記第１フィルタは、正面材と背面材の間に形成されて上方に開口した収容部を有するマスク。
【発明の詳細な説明】
【技術分野】
【０００１】
本発明は、マスクに関するものである。
【背景技術】
【０００２】
衛生マスク（以下「マスク」という。）は、通常、鼻及び口から空気を吸い込む際、微粒子を取り入れないように鼻及び口を覆うフィルタが設けられている。フィルタは、例えば布製、不織布製などである。マスクのフィルタは、鼻だけでなく口を覆っていることから、咳やくしゃみなどで口から放出される飛沫に含まれる病原体が飛び散ることを低減又は防止できる。
【０００３】
下記の特許文献１には、咽喉、口腔、口の周辺の潤い維持に役立つ口腔・口周り保湿具に関する発明であって、口覆い部が設けられ、口覆い部は、装着者の鼻孔を覆わずに、装着者の口を覆うことが開示されている。
【０００４】
また、下記の特許文献２には、着用者の鼻水が垂れるのを防止する衛生マスクに関する発明であって、鼻を露出させた状態で着用されるようにし、口当て部の上部に形成された鼻下受部が設けられることが開示されている。
【０００５】
さらに、下記の特許文献３には、マスク本体が半透明であって、着用者の表情を確認することができる使い捨てマスクに関する発明であって、マスク本体の先端部が着用者の鼻部から離間してその下方に位置し、口部が塞がれることなく自由に動かすことができることが開示されている。
【先行技術文献】
【特許文献】
【０００６】
【特許文献１】特開２０１９−８１９８４号公報
【特許文献２】実用新案登録第３２１００８３号公報
【特許文献３】実用新案登録第３２０５１８１号公報
【発明の概要】
【発明が解決しようとする課題】
【０００７】
マスクのフィルタは、鼻及び口を覆っていることから、マスクを長時間装着すると、熱がこもったり蒸れたりして快適性に欠ける。そのため、比較的安全であるという心理が働く環境（例えば職場、家庭）などでマスクを外してしまう場合がある。しかし、他人への感染可能性を低減するため、衛生面だけでなくエチケットの観点からも、マスクの常時着用が推奨される。
【０００８】
また、市販のマスクのサイズは、大人用と子供用で分かれており、大人用だけでなく子供用のマスクも購入する必要がある。そのため、子供のいる家庭などでは子供用のマスクについても備蓄量を適宜確認しなければならず、手間である。
【０００９】
本発明は、このような事情に鑑みてなされたものであって、結合したフィルタを分離することで、フィルタのサイズを容易に変更することができ、他人への感染を防止しつつ、快適に装着することが可能なマスクを提供することを目的とする。
【課題を解決するための手段】
【００１０】
上記課題を解決するために、本発明のマスクは以下の手段を採用する。
すなわち、本発明に係るマスクは、口を覆う第１フィルタと、前記第１フィルタの上方に設けられ、鼻を覆う第２フィルタと、前記第１フィルタと前記第２フィルタを分離可能に接続する接続部とを備える。
【００１１】
この構成によれば、第１フィルタが口を覆い、第２フィルタが鼻を覆う。第２フィルタは、第１フィルタの上方に設けられ、接続部を介して第１フィルタと分離可能に接続されている。すなわち、マスクの高さ方向の中間部分における接続部において、結合した第１フィルタと第２フィルタはそれぞれ別々に分離可能である。
【００１２】
第１フィルタと第２フィルタが接続された状態であるとき、第１フィルタと第２フィルタからなるマスクが装着者の耳に掛けられる。このとき、第１フィルタと第２フィルタによって口と鼻の両方が覆われる。また、第２フィルタが第１フィルタから分離された後、第１フィルタのみからなるマスクが装着者の耳に掛けられる。このとき、第２フィルタがないことから、第１フィルタによって口が覆われるが、鼻は露出される。
【００１３】
これにより、接続部において第１フィルタと第２フィルタが分離可能であることから、フィルタのサイズを容易に変更することができる。第１フィルタのみからなるマスクは、鼻からの微粒子の吸い込みを防げないが、鼻が覆われないことから、不快感を低減させて、比較的快適に装着することが可能になる。また、第１フィルタによって口が覆われているため、口から放出される飛沫に含まれる病原体が飛び散ることを低減でき、他人への感染可能性を低減できる。したがって、比較的安全でマスクを外してもよさそうだという心理が働く環境（例えば職場、家庭）などでマスクすべてを外すのではなく、第１フィルタから第２フィルタを分離して使用することによって、衛生面だけでなくエチケットを向上させることができる。また、第２フィルタがない第１フィルタのみからなるマスクは、子供用として適切なサイズになることから、子供用として使用する場合は、接続部において第１フィルタと第２フィルタを分離すればよい。さらに、第２フィルタがない第１フィルタのみからなるマスクは、鼻が覆われることなく息苦しくないことから、乾燥しやすい季節や就寝時に使用する咽喉、口腔の保湿にも使用できるなど、多目的な使用が可能になる。
【００１４】
本発明に係るマスクにおいて、前記第１フィルタの幅方向両側に設けられ、装着者の耳に掛けられる耳掛け部、又は、装着者の耳に掛けられる耳掛け部を設置可能な耳掛け部支持部を備えてもよい。
【００１５】
この構成によれば、第１フィルタと第２フィルタが接続された状態であるとき、第１フィルタと第２フィルタからなるマスクが耳掛け部を介して装着者の耳に掛けられる。このとき、第１フィルタと第２フィルタによって口と鼻の両方が覆われる。また、第２フィルタが第１フィルタから分離された後、第１フィルタのみからなるマスクが耳掛け部を介して装着者の耳に掛けられる。
【００１６】
本発明に係るマスクにおいて、前記接続部は、前記第１フィルタと前記第２フィルタが重ね合わされ線状に施された接着若しくは圧着などによって、前記第１フィルタと前記第２フィルタの間に形成されたミシン目によって、又は、前記第１フィルタと前記第２フィルタが重ね合わされ面ファスナー若しくはスナップボタン等によって前記第１フィルタと前記第２フィルタとを接続してもよい。
【００１７】
この構成によれば、接続部において第１フィルタと第２フィルタが重ね合わされており線状に接着若しくは圧着などが施されることによって、第１フィルタと第２フィルタの間に形成されたミシン目によって、又は、第１フィルタと第２フィルタが重ね合わされており面ファスナー若しくはスナップボタン等によって第１フィルタと第２フィルタが接続されている。
【００１８】
本発明に係るマスクにおいて、前記第１フィルタは、正面材と背面材の間に形成されて上方に開口した収容部を有し、前記第２フィルタの下部が前記収容部に収容されてもよい。
【００１９】
この構成によれば、第１フィルタにおいて、収容部が正面材と背面材の間に形成されて上方に開口しており、第２フィルタの下部が収容部に収容されることから、収容部において、第１フィルタと第２フィルタが接続可能である。また、収容部には、フィルタシートや冷却シートなどが収容されてもよい。
【００２０】
本発明に係るマスクにおいて、前記耳掛け部は、前記第１フィルタの幅方向両側においてのみ設けられ、前記接続部の両端部は、前記第１フィルタ及び前記第２フィルタに位置してもよい。
【００２１】
この構成によれば、接続部において第１フィルタと第２フィルタが分離されるとき、耳掛け部は分離されずに第２フィルタのみが第１フィルタから分離される。
【００２２】
本発明に係るマスクにおいて、前記耳掛け部は、前記第１フィルタ及び前記第２フィルタの幅方向両側において設けられ、前記接続部の両端部は、前記耳掛け部に位置してもよい。
【００２３】
この構成によれば、接続部において第１フィルタと第２フィルタが分離されるとき、耳掛け部も分離されて、耳掛け部の一部分と共に第２フィルタが第１フィルタから分離される。
【００２４】
本発明に係るマスクにおいて、前記接続部は、前記第１フィルタ及び前記第２フィルタの幅方向両側端部から前方へ向かうにつれて斜め下方に設けられており、前記第１フィルタ及び前記第２フィルタの中間部では水平、又は、前方へ向かうにつれて斜め上方に設けられてもよい。
【００２５】
この構成によれば、マスクを広げて立体的な形状にすると、フィルタ部の中央において接続部、すなわち第１フィルタの上辺が斜め上方へ向かう。これにより、子供が装着した場合、第１フィルタによって、口と鼻の両方を確実に覆うことができる。
【００２６】
本発明に係るマスクは、鼻を覆う第２フィルタと上方にて接続可能であり、口を覆う第１フィルタと、前記第１フィルタの上部に設けられ、前記第２フィルタを前記第１フィルタに接続可能な接続部とを備える。
【００２７】
この構成によれば、第１フィルタが口を覆い、第１フィルタの上方において第２フィルタを接続できる。第１フィルタのみからなるマスクが装着者の耳に掛けられる。このとき、第２フィルタがないことから、第１フィルタによって口が覆われるが、鼻は露出される。第１フィルタと第２フィルタが接続されたときも、第１フィルタと第２フィルタからなるマスクが耳掛け部を介して装着者の耳に掛けられる。このとき、第１フィルタと第２フィルタによって口と鼻の両方が覆われる。
【発明の効果】
【００２８】
本発明によれば、結合したフィルタを分離することで、フィルタのサイズを容易に変更することができ、他人への感染を防止しつつ、快適に装着することができる。
【図面の簡単な説明】
【００２９】
【図１】本発明の第１実施形態に係るマスクを示す側面図である。
【図２】本発明の第１実施形態に係るマスクを示す正面図である。
【図３】本発明の第１実施形態に係るマスクを示す側面図であり、第２フィルタが第１フィルタから分離された状態を示している。
【図４】本発明の第１実施形態に係るマスクを示す正面図であり、第２フィルタが第１フィルタから分離された状態を示している。
【図５】本発明の第１実施形態に係るマスクの第１実施例を示す縦断面図である。
【図６】本発明の第１実施形態に係るマスクの第２実施例を示す縦断面図である。
【図７】本発明の第２実施形態に係るマスクの第１実施例を示す縦断面図である。
【図８】本発明の第２実施形態に係るマスクの第２実施例を示す縦断面図である。
【図９】本発明の第３実施形態に係るマスクを示す正面図である。
【図１０】本発明の第３実施形態に係るマスクを示す正面図であり、第２フィルタが第１フィルタから分離された状態を示している。
【図１１】本発明の第４実施形態に係るマスクを示す側面図である。
【図１２】本発明の第４実施形態に係るマスクを示す正面図である。
【図１３】本発明の第４実施形態に係るマスクを示す側面図であり、第２フィルタが第１フィルタから分離された状態を示している。
【図１４】本発明の第４実施形態に係るマスクを示す正面図であり、第２フィルタが第１フィルタから分離された状態を示している。
【発明を実施するための形態】
【００３０】
以下に、本発明に係る実施形態について、図面を参照して説明する。
［第１実施形態］
本発明の第１実施形態に係るマスク１０は、図１及び図２に示すように、マスク１０の幅方向中央で上下方向に折り目が設けられて二つ折り可能な形状を有する。マスク１０は、図２に示すように広げたときに立体的な形状を保持する。
【００３１】
マスク１０は、図１及び図２に示すように、主に口を覆う第１フィルタ１と、主に鼻を覆う第２フィルタ２と、第１フィルタ１及び第２フィルタ２を接続する接続部３と、耳掛け部４などを有する。マスク１０は、例えば不織布製である。なお、マスク１０の材料は、上述した例に限られず、例えば、第１フィルタ１や第２フィルタ２が布製であって、耳掛け部４がゴム製である組み合わせなどでもよい。また、本発明に係るマスクは、二つ折り可能な形状を有するものに限定されない。例えば、フィルタ部において幅方向中央で上下方向に折り目がなく、椀型形状の滑らかな曲面を有し、広げたときに立体的な形状を保持するものでもよい。
【００３２】
第１フィルタ１は、マスク１０の下部側に設けられ、口及び口の周囲を覆う。第１フィルタ１は、第１フィルタ１の上部に沿って、接続部３を介して第２フィルタ２と接続されている。第１フィルタ１の幅方向両側には、耳掛け部４がそれぞれ設けられる。
【００３３】
第２フィルタ２は、マスク１０の上部側に設けられ、鼻及び鼻の周囲を覆う。第２フィルタ２の上辺は、第２フィルタ２の幅方向両側端部から前方へ向かうにつれて斜め上方に設けられている。第２フィルタ２は、第２フィルタ２の下部に沿って、接続部３を介して第１フィルタ１と接続されている。本実施形態に示す例では、第２フィルタ２の幅方向両側には、耳掛け部４が設けられていない。
【００３４】
接続部３は、第１フィルタ１及び第２フィルタ２の幅方向両側端部から前方へ向かうにつれて斜め下方に設けられて、中央で交差している。接続部３は、第１フィルタ１の上部に沿って、かつ、第２フィルタ２の下部に沿って設けられる。接続部３は、第１フィルタ１と第２フィルタ２を分離可能に接続する。これにより、第２フィルタ２は、接続部３を介して第１フィルタ１と分離可能に接続されている。すなわち、マスク１０の高さ方向のほぼ中間部分における接続部３において、結合した第１フィルタ１と第２フィルタ２はそれぞれ別々に分離可能である。
【００３５】
接続部３では、例えば、第１フィルタ１と第２フィルタ２が数ｍｍの領域で重ね合わされており、接続部３は、線状に施された接着剤による接着、又は、熱圧着等の圧着などによって第１フィルタ１と第２フィルタ２とを接続している。図５では、接続部３が接着剤である例を示している。これにより、第１フィルタ１と第２フィルタ２の間における接続部３において隙間が形成されずに両者が接続され、微粒子の吸い込みや飛沫の放出を防止できる。なお、接続部３は、上述した構成に限定されず、第１フィルタ１と第２フィルタ２の間においてミシン目が形成されてもよい。第１フィルタ１と第２フィルタ２は、ミシン目で構成される接続部３において切り離される。
【００３６】
また、第１フィルタ１と第２フィルタ２が布製である場合、接続部３は、例えば、図６に示すように、面ファスナー又はスナップボタン等でもよい。図６では、接続部３が第１フィルタ１側に設けられた面ファスナー又はスナップボタン等を構成する一方の接続部３Ａと、第２フィルタ２側に設けられた面ファスナー又はスナップボタン等を構成する他方の接続部３Ｂとが対向して接合されている例を示している。接続部３では、第１フィルタ１と第２フィルタ２が重ね合わされており、第１フィルタ１の上部に沿って、かつ、第２フィルタ２の下部に沿って設けられた面ファスナー又はスナップボタン等によって、第１フィルタ１と第２フィルタ２が互いに接続される。面ファスナー又はスナップボタン等で接続部３が構成されている場合、接着や圧着などの接続部３と異なり、第１フィルタ１と第２フィルタ２を容易に再度結合できる。
【００３７】
耳掛け部４は、第１フィルタ１の幅方向両側に設けられ、装着者の耳に掛けられる。耳掛け部４は、上側において第１フィルタ１の上方の側部で第１フィルタ１と接続され、下側において第１フィルタ１の下方の側部で第１フィルタ１と接続される。
【００３８】
耳掛け部４は、第１フィルタ１の幅方向両側においてのみ設けられる。また、接続部３の両端部は、第１フィルタ１及び第２フィルタ２に位置する。これにより、図３及び図４に示すように、接続部３において第１フィルタ１と第２フィルタ２が分離されるとき、耳掛け部４は分離されずに第２フィルタ２のみが第１フィルタ１から分離される。
【００３９】
図１及び図２に示すように、第１フィルタ１と第２フィルタ２が接続された状態であるとき、マスク１０は耳掛け部４を介して装着者の耳に掛けられる。このとき、第１フィルタ１と第２フィルタ２によって口と鼻の両方が覆われる。この状態でのマスク１０は、一般的なマスクと同様に、鼻及び口から空気を吸い込む際、微粒子を取り入れないようにでき、咳やくしゃみなどの際、口から放出される飛沫が飛び散ることを低減又は防止できる。
【００４０】
第１フィルタ１と第２フィルタ２は、接続部３において、両者を互いに分離することができる。図３及び図４に示すように、第２フィルタ２が第１フィルタ１から分離された後、フィルタ部が第１フィルタ１のみからなるマスク１０は、耳掛け部４を介して装着者の耳に掛けられる。このとき、第２フィルタ２がないことから、第１フィルタ１によって口のみが覆われるが、鼻は露出される。
【００４１】
本実施形態によれば、上述したとおり、接続部３において第１フィルタ１と第２フィルタ２が分離可能であることから、マスク１０のフィルタのサイズを容易に変更することができる。面ファスナー又はスナップボタン等で接続部３が構成されている場合、第１フィルタ１と第２フィルタ２を容易に再度結合できる。図３及び図４に示すように、フィルタ部が第１フィルタ１のみからなるマスク１０は、鼻からの微粒子の吸い込みを防げないが、鼻が覆われないことから、熱がこもったり蒸れたりしにくく、不快感を低減させて、比較的快適にマスク１０を装着することが可能になる。また、第１フィルタ１によって口が覆われているため、口から放出される飛沫に含まれる病原体が飛び散ることを低減でき、他人への感染可能性を低減できる。したがって、比較的安全でマスクを外してもよさそうだという心理が働く環境（例えば職場、家庭）などでマスク１０すべてを外すのではなく、第１フィルタ１から第２フィルタ２を分離して使用することによって、衛生面だけでなくエチケットを向上させることができる。さらに、フィルタ部が第１フィルタ１のみからなるマスク１０は、鼻が覆われることなく息苦しくないため乾燥しやすい季節や睡眠時に装着することもでき、咽喉や口腔内を保湿できるなど多目的な使用が可能になる。
【００４２】
またさらに、フィルタ部が第１フィルタ１のみからなるマスク１０は、子供用としても使用可能な小さいサイズになり、子供の鼻と口を覆うことができる。子供用として使用する場合は、接続部３において第１フィルタ１と第２フィルタ２を分離すればよく、マスク１０は大人用と子供用を兼用できるように構成されている。マスク１０を備蓄しておけば、大人用のマスクと子供用のマスクの２種類を備えておかなくてもよい。
【００４３】
［第２実施形態］
本発明の第２実施形態に係るマスク２０は、第１実施形態と異なり、図７及び図８に示すように、口を覆う第１フィルタ１において収容部５を備えたものである。
【００４４】
マスク２０は、主に口を覆う第１フィルタ１と、主に鼻を覆う第２フィルタ２と、第１フィルタ１及び第２フィルタ２を接続する接続部３と、耳掛け部と、収容部５などを有する。マスク２０は、例えば不織布製又は布製である。以下、第２実施形態において、第１実施形態と重複する構成及び作用効果については、詳細な説明を省略する。
【００４５】
第１フィルタ１は、正面材６と背面材７を有する。正面材６と背面材７は、厚さ方向に重ね合わされており、下部で互いに接合されている。収容部５は、正面材６と背面材７の間に形成されて上方に開口している。収容部５は、第１フィルタ１の上部に沿って設けられる。
【００４６】
なお、正面材６は、背面材７よりも高さ方向の長さが短いことが望ましい。これにより、フィルタ部を第１フィルタ１のみとしたとき、正面材６や接続部３が顔に接触することを防止でき、装着者が感じる煩わしさを低減できる。
【００４７】
接続部３は、例えば、接着若しくは圧着など、又は、面ファスナー若しくはスナップボタン等である。接続部３は、第１フィルタ１の上部又は第２フィルタ２の下部に沿って設けられる。第１フィルタ１の接続部３と第２フィルタ２の接続部３が合わせられて、第１フィルタ１と第２フィルタ２が分離可能に接続される。
【００４８】
図７では、接続部３が第２フィルタ２の正面側のみに設置され、接続部３が接着剤である例を示している。図８では、第２フィルタ２の正面側と背面側のそれぞれで、接続部３が第１フィルタ１側に設けられた面ファスナー又はスナップボタン等を構成する一方の接続部３Ａと、第２フィルタ２側に設けられた面ファスナー又はスナップボタン等を構成する他方の接続部３Ｂとが対向して接合されている例を示している。また、図８では、接続部３が第２フィルタ２の正面側と裏面側のそれぞれに異なる高さ位置で設置されている。
【００４９】
なお、本実施形態に係る接続部３の設置位置は、図７及び図８に示した例に限定されない。例えば、図７に示す例と異なり、第２フィルタ２の背面側のみに接続部３が設置されてもよい。また、図７及び図８に示す例と異なり、接続部３が高さ方向に１か所又は２か所ではなく、３か所以上で設置されてもよい。さらに、一つのマスクで接続部３が複数か所に設けられる場合において、接着又は圧着などによる接続部３と面ファスナー又はスナップボタン等による接続部３の組み合わせなど、２種類以上の接続部３が設けられてもよい。
【００５０】
第２フィルタ２の下部が収容部５に収容されて第１フィルタ１と第２フィルタ２が接続されることにより、接続部３において隙間が形成されずに両者が接続され、微粒子の吸い込みや飛沫の放出を防止できる。
【００５１】
図７に示すように、収容部５において第１フィルタ１と第２フィルタ２が接続されるだけでなく、図８に示すように、収容部５内にフィルタシートや冷却シートなどのシート状部材２２が収容されてもよい。フィルタシートが収容されることによって微粒子の透過率を調整でき、冷却シートが収容されることによってマスク２０の装着時の快適性を確保できる。
【００５２】
本実施形態においても第１実施形態と同様に、マスク２０は、第１フィルタ１と第２フィルタ２が接続された状態であるとき、一般的なマスクと同様に、鼻及び口から空気を吸い込む際、微粒子を取り入れないようにでき、咳やくしゃみなどの際、口から放出される飛沫が飛び散ることを低減又は防止できる。
【００５３】
また、接続部３において結合した第１フィルタ１と第２フィルタ２が分離可能であることから、マスク２０のフィルタのサイズを容易に変更することができる。面ファスナー又はスナップボタン等で接続部３が構成されている場合、第１フィルタ１と第２フィルタ２を容易に再度結合できる。フィルタ部が第１フィルタ１のみからなるマスク２０は、鼻が覆われず、熱がこもったり蒸れたりしにくいことから、不快感を低減させて、比較的快適にマスク２０を装着することが可能になり、第１フィルタ１によって口が覆われているため、他人への感染可能性を低減でき、衛生面やエチケットを向上させる。さらに、フィルタ部が第１フィルタ１のみからなるマスク２０は、子供用に使用したり、乾燥季節時や睡眠中などに咽喉や口腔内を保湿できるなど多目的な使用が可能になる。
【００５４】
［第３実施形態］
本発明の第３実施形態に係るマスク３０は、図９に示すように、第１フィルタ１と第２フィルタ２が接続された状態のフィルタ部が長方形形状であり、第１フィルタ１がプリーツ状に折り曲げられている。マスク３０は、例えば不織布製であるが、布製でもよい。
【００５５】
マスク３０は、主に口を覆う第１フィルタ１と、主に鼻を覆う第２フィルタ２と、第１フィルタ１及び第２フィルタ２を接続する接続部３と、耳掛け部４などを有する。以下、第３実施形態において、第１又は第２実施形態と重複する構成及び作用効果については、詳細な説明を省略する。
【００５６】
第１実施形態で説明した構成と同様に、接続部３では、例えば第１フィルタ１と第２フィルタ２が重ね合わされており、接続部３は、線状に施された接着剤による接着、又は、熱圧着等の圧着などによって第１フィルタ１と第２フィルタ２とを接続している。また、接続部３は、上述した構成に限定されず、第１フィルタ１と第２フィルタ２の間においてミシン目が形成されてもよい。さらに、第２実施形態で説明した構成と同様に、第１フィルタ１において収容部を備え、第２フィルタ２の下部が収容部に収容されて第１フィルタ１と第２フィルタ２が接続されてもよい。また、接続部３は、例えば、面ファスナー又はスナップボタン等でもよい。
【００５７】
耳掛け部４は、図９に示すように、第１フィルタ１及び第２フィルタ２の幅方向両側に設けられ、装着者の耳に掛けられる。耳掛け部４は、上側において第１フィルタ１の上方の側部及び第２フィルタ２の側部で第１フィルタ１及び第２フィルタ２と接続され、下側において第１フィルタ１の下方の側部で第１フィルタ１と接続される。耳掛け部４と第１フィルタ１又は第２フィルタ２との接続部分（図９に示すラインＬ近傍）は、厚みを持たせて、分離したときに強度が保たれるようにすることが望ましい。
【００５８】
接続部３の両端部は、耳掛け部４に位置する。これにより、図１０に示すように、接続部３において第１フィルタ１と第２フィルタ２が分離されるとき、耳掛け部４の一部分と共に第２フィルタ２が第１フィルタ１から分離される。
【００５９】
接続部３は、耳掛け部４では、前方へ向かうにつれて斜め下方に設けられており、第１フィルタ１及び第２フィルタ２ではほぼ水平に設けられている。
【００６０】
本実施形態においても第１及び第２実施形態と同様に、マスク３０は、図９に示すように、第１フィルタ１と第２フィルタ２が接続された状態であるとき、一般的なマスクと同様に、鼻及び口から空気を吸い込む際、微粒子を取り入れないようにでき、咳やくしゃみなどの際、口から放出される飛沫が飛び散ることを低減又は防止できる。
【００６１】
また、接続部３において結合した第１フィルタ１と第２フィルタ２が分離可能であることから、マスク３０のフィルタのサイズを容易に変更することができる。面ファスナー又はスナップボタン等で接続部３が構成されている場合、第１フィルタ１と第２フィルタ２を容易に再度結合できる。図１０に示すように、フィルタ部が第１フィルタ１のみからなるマスク３０は、鼻が覆われず、熱がこもったり蒸れたりしにくいことから、不快感を低減させて、比較的快適にマスク３０を装着することが可能になり、第１フィルタ１によって口が覆われているため、他人への感染可能性を低減でき、衛生面やエチケットを向上させる。さらに、フィルタ部が第１フィルタ１のみからなるマスク３０は、子供用に使用したり、乾燥季節時や睡眠中などに咽喉や口腔内を保湿できるなど多目的な使用が可能になる。
【００６２】
［第４実施形態］
本発明の第４実施形態に係るマスク４０は、第１実施形態と異なり、図１１及び図１２に示すように、接続部３においてマスク４０の幅方向端部と中央部の間に屈曲部分が形成される。
【００６３】
マスク４０は、主に口を覆う第１フィルタ１と、主に鼻を覆う第２フィルタ２と、第１フィルタ１及び第２フィルタ２を接続する接続部３と、耳掛け部４などを有する。以下、第４実施形態において、第１から第３実施形態と重複する構成及び作用効果については、詳細な説明を省略する。
【００６４】
接続部３は、図１１に示すように、第１フィルタ１及び第２フィルタ２の両側端部から前方へ向かうにつれて斜め下方に設けられており、中間部ではほぼ水平、又は、前方へ向かうにつれて斜め上方に設けられて、交差している。これにより、図１２に示すように、マスク４０を広げて立体的な形状にすると、第１実施形態と異なり、フィルタ部の中央において接続部３、すなわち第１フィルタ１の上辺が斜め上方へ向かう。
【００６５】
第１実施形態で説明した構成と同様に、接続部３では、例えば第１フィルタ１と第２フィルタ２が重ね合わされており、接続部３は、線状に施された接着剤による接着、又は、熱圧着等の圧着などによって第１フィルタ１と第２フィルタ２とを接続している。また、接続部３は、上述した構成に限定されず、第１フィルタ１と第２フィルタ２の間においてミシン目が形成されてもよい。さらに、第２実施形態で説明した構成と同様に、第１フィルタ１において収容部を備え、第２フィルタ２の下部が収容部に収容されて第１フィルタ１と第２フィルタ２が接続されてもよい。また、接続部３は、例えば、面ファスナー又はスナップボタン等でもよい。
【００６６】
図１１及び図１２に示すように、本実施形態においても第１実施形態と同様に、マスク４０は、第１フィルタ１と第２フィルタ２が接続された状態であるとき、一般的なマスクと同様に、鼻及び口から空気を吸い込む際、微粒子を取り入れないようにでき、咳やくしゃみなどの際、口から放出される飛沫が飛び散ることを低減又は防止できる。
【００６７】
また、図１３及び図１４に示すように、第１フィルタ１と第２フィルタ２は、接続部３において、両者を互いに分離することができ、マスク４０のフィルタのサイズを容易に変更することができる。このとき、第２フィルタ２がないことから、第１フィルタ１によって口のみが覆われる。本実施形態では、第１フィルタ１の中央において第１フィルタ１の上辺が斜め上方へ向かうことから、大人が装着した場合、鼻の下方が覆われる場合があるが鼻の大半が露出して、熱がこもったり蒸れたりしにくい。また、子供が装着した場合、第１フィルタ１と第２フィルタ２が接続された状態で大人が装着する場合のように、第１フィルタ１によって、口と鼻の両方を確実に覆うことができる。したがって、第１実施形態に比べて、子供の装着時において、鼻及び口から空気を吸い込む際、微粒子をより取り入れないようにできる。
【００６８】
なお、上述した第１から第４実施形態では、第１フィルタ１と第２フィルタ２が組み合わされるマスク１０，２０，３０，４０について説明した。本発明に係るマスクは、口を覆う第１フィルタ１において、鼻を覆う第２フィルタ２と上方にて接続可能である接続部３が設けられていれば、第２フィルタ２を備えないものでもよい。この場合、第２フィルタ２は、当該マスクとは別に用意されて、後から第１フィルタ１に接続される。
【００６９】
また、上述した第１から第４実施形態では、第１フィルタ１、又は、第１フィルタ１及び第２フィルタ２に耳掛け部４が設けられる場合について説明したが、本発明はこの例に限定されない。すなわち、本発明に係るマスクは、第１フィルタ１、又は、第１フィルタ１及び第２フィルタ２の幅方向両側において、耳掛け部４が設置可能な構成を有する耳掛け部支持部が設けられるものでもよい。例えば、フィルタ部の幅方向両側それぞれに耳掛け部支持部としての紐通し部が設けられる。そして、紐通し部に耳掛け部の紐やゴムが通されて、耳掛け部を介してフィルタ部が装着者に支持される。
【符号の説明】
【００７０】
１    ：第１フィルタ
２    ：第２フィルタ
３，３Ａ，３Ｂ    ：接続部
４    ：耳掛け部
５    ：収容部
６    ：正面材
７    ：背面材
１０，２０，３０，４０  ：マスク
２２  ：シート状部材
【要約】
【課題】結合したフィルタを分離することで、フィルタのサイズを容易に変更することができ、他人への感染を防止しつつ、快適に装着することが可能なマスクを提供することを目的とする。
【解決手段】マスク１０は、口を覆う第１フィルタ１と、第１フィルタ１の上方に設けられ、鼻を覆う第２フィルタ２と、第１フィルタ１と第２フィルタ２を分離可能に接続する接続部３とを備え、第１フィルタ１の幅方向両側には、装着者の耳に掛けられる耳掛け部４、又は、耳掛け部４を設置可能な耳掛け部支持部が設けられる。
【選択図】図２【図１】
0006865517.tif 000002
【図２】
0006865517.tif 000003
【図３】
0006865517.tif 000004
【図４】
0006865517.tif 000005
【図５】
0006865517.tif 000006
【図６】
0006865517.tif 000007
【図７】
0006865517.tif 000008
【図８】
0006865517.tif 000009
【図９】
0006865517.tif 000010
【図１０】
0006865517.tif 000011
【図１１】
0006865517.tif 000012
【図１２】
0006865517.tif 000013
【図１３】
0006865517.tif 000014
【図１４】
0006865517.tif 000015